(57)【要約】【課題】微調整及び粗い調整のいずれに関しても操作性の優れたロータリースイッチを提供する。【解決手段】回転軸１０１を有するボリュームスイッチ１００と、回転軸１０１に固定され、回転軸１０１に対して傾斜する傾斜面１１１を有するベース１１０と、ベース１１０に回転方向に固定され、傾斜面１１１に沿って高さ方向に摺動可能に傾斜面１１１に当接する複数のアッパー部１３１を有するスイッチノブ１３０と、を備えるロータリースイッチ。【選択図】図６
2016046111.tif 000002
【特許請求の範囲】
【請求項１】
回転軸を有するボリュームスイッチと、
前記回転軸に固定され、該回転軸に対して傾斜する傾斜面を有するベースと、
前記ベースに回転方向に固定され、前記傾斜面に沿って高さ方向に摺動可能に前記傾斜面に当接する複数のアッパー部を有するスイッチノブと、
を備えるロータリースイッチ。
【請求項２】
前記スイッチノブは天板を備え、
各アッパー部の側面の上端部に、前記天板を径方向に摺動可能に挿入するためのスリットを設けたことを特徴とする、請求項１に記載のロータリースイッチ。
【請求項３】
前記ロータリースイッチは、前記アッパー部と前記傾斜面とが当接する位置に応じて前記ボリュームスイッチの分解能を切り替える分解能切替手段をさらに備えることを特徴とする、請求項１又は２に記載のロータリースイッチ。
【請求項４】
前記ロータリースイッチは、前記アッパー部と前記傾斜面とが当接する高さ方向の位置を保持する高さ保持手段をさらに備えることを特徴とする、請求項１乃至３のいずれか一項に記載のロータリースイッチ。
【発明の詳細な説明】
【技術分野】
【０００１】
本発明は、車両用の空調装置等の操作部に設けられるロータリースイッチに関する。
【背景技術】
【０００２】
従来から、回動可能に設けられたスイッチノブを操作者が回転操作することで、内部のボリュームスイッチを調整するロータリースイッチが知られている（例えば特許文献１、特許文献２）。
【先行技術文献】
【特許文献】
【０００３】
【特許文献１】特許第３７５９３４７号公報
【特許文献２】特開２００４−３０３６８４号公報
【発明の概要】
【発明が解決しようとする課題】
【０００４】
従来のロータリースイッチにおいて、例えば空調の温度を１℃変更する等の細かい調整をする場合には、ロータリースイッチを１℃に相当する比較的小さな角度分（例えば１０度）だけ回転させる。一方、空調の温度を５℃変更する等の粗い調整をする場合には、ロータリースイッチを５℃に相当する比較的大きな角度分（例えば５０度）、回転させる。ロータリースイッチの外径が大きいと、単位角度当たりの外周部分の移動距離が長くなるため、微調整には適しているものの粗い調整には最適ではない。一方、外径が小さいと、単位角度当たりの外周部分の移動距離が短くなるため、粗い調整には適しているものの微調整には最適ではない。
【０００５】
従って、上記のような問題点に鑑みてなされた本発明の目的は、微調整及び粗い調整のいずれに関しても操作性の優れたロータリースイッチを提供することにある。
【課題を解決するための手段】
【０００６】
上記課題を解決するために本発明の第１の側面に係るロータリースイッチは、
回転軸を有するボリュームスイッチと、
前記回転軸に固定され、該回転軸に対して傾斜する傾斜面を有するベースと、
前記ベースに回転方向に固定され、前記傾斜面に沿って高さ方向に摺動可能に前記傾斜面に当接する複数のアッパー部を有するスイッチノブと、
を備えることを特徴とする。
【０００７】
また、本発明の第２の側面に係るロータリースイッチは、
前記スイッチノブは天板を備え、
各アッパー部の側面の上端部に、前記天板を径方向に摺動可能に挿入するためのスリットを設けたことを特徴とする。
【０００８】
また、本発明の第３の側面に係るロータリースイッチは、
前記ロータリースイッチは、前記アッパー部と前記傾斜面とが当接する位置に応じて前記ボリュームスイッチの分解能を切り替える分解能切替手段をさらに備えることを特徴とする。
【０００９】
また、本発明の第４の側面に係るロータリースイッチは、
前記ロータリースイッチは、前記アッパー部と前記傾斜面とが当接する高さ方向の位置を保持する高さ保持手段をさらに備えることを特徴とする。
【発明の効果】
【００１０】
本発明の第１の側面に係るロータリースイッチによれば、微調整及び粗い調整のいずれに関しても操作性を高くすることができる。
【００１１】
本発明の第２の側面に係るロータリースイッチによれば、天板を介して複数のアッパー部が同時に動くため、より操作性を高くすることができる。
【００１２】
本発明の第３の側面に係るロータリースイッチによれば、分解能切替手段により分解能を切り替えることで、さらに細かい調整及び粗い調整のいずれに関しても操作性を高くすることができる。
【００１３】
本発明の第４の側面に係るロータリースイッチによれば、高さ位置決め手段によりスイッチノブの高さが位置決めされるため、より操作性を高くすることができる。
【図面の簡単な説明】
【００１４】
【図１】実施の形態１のロータリースイッチが設けられた操作部を有する車両を車内から見た図である。
【図２】実施の形態１のロータリースイッチ及びフィニッシャーの側方断面図である。
【図３】実施の形態１のロータリースイッチの分解斜視図である。
【図４】実施の形態１のロータリースイッチのアッパー部の拡大斜視図である。
【図５】実施の形態１のロータリースイッチの上面図である。
【図６】実施の形態１のロータリースイッチのＡ−Ａ線断面図である。
【図７】実施の形態１のロータリースイッチのＢ−Ｂ線断面図である。
【図８】実施の形態１のロータリースイッチの第３の状態における上面図である。
【図９】実施の形態１のロータリースイッチの組み立て手順を示す図である。
【図１０】実施の形態１の変形例１に係るロータリースイッチの上面図である。
【図１１】実施の形態１の変形例２に係るロータリースイッチの概略図である。
【図１２】実施の形態１の変形例３に係るロータリースイッチの概略図である。
【図１３】実施の形態１の変形例４に係るロータリースイッチの概略図である。
【図１４】実施の形態１の変形例５に係るロータリースイッチの概略図である。
【図１５】実施の形態１の変形例６に係るロータリースイッチのＡ−Ａ断面図である。
【発明を実施するための形態】
【００１５】
以下、本発明の実施の形態について説明する。
【００１６】
（実施の形態１）
図１は、本発明の実施の形態１に係るロータリースイッチ１が設けられた操作部を備える車両を車内から見た図である。車内には、ウィンドシールド２、メータ３、ステアリング４、コンソール５が備えられている。本発明の実施の形態１に係るロータリースイッチ１は、コンソール５上に設けられ、フィニッシャー６により基板７が覆い隠されている。図２に、ロータリースイッチ１及びフィニッシャー６の側方断面図を示す。図２に示すように、ロータリースイッチ１は基板７に接続されている。
【００１７】
図３に、実施の形態１のロータリースイッチ１の分解斜視図を示す。ロータリースイッチ１は、ボリュームスイッチ１００と、ベース１１０と、ロアー部１２０と、スイッチノブ１３０とを備える。
【００１８】
ボリュームスイッチ１００は、回転軸１０１を有する。ボリュームスイッチ１００は、回転軸１０１の回転角度を検知し、回転角度に応じた信号を基板７上に設けられた制御部（不図示）に出力する。制御部は当該信号に基づき、操作対象の設定値（エアコンの温度、エアコンの風量、オーディオの音量、ラジオの周波数等）を変更する。例えば設定値がエアコンの温度であるとした場合、回転角度が１０°に対して、例えばエアコンの温度が１℃変更される。
【００１９】
ベース１１０は、回転軸１０１に固定される部材であり、上面が底面よりも面積の大きい円すい台形状である。すなわちベース１１０の上面の径Ｂ1は、底面の径Ｂ2よりも大きく、ベース１１０は、円すい台の中心軸（回転軸１０１と一致する）に対して傾斜した傾斜面１１１を有している。ベース１１０は、挿通孔１１２と、ロアー固定部１１３と、ストッパー１１４とを備える。挿通孔１１２は、ベース１１０の底面の中心に、円すい台の中心軸方向に設けられる。ロアー固定部１１３は、ベース１１０の底面に設けられる。挿通孔１１２に回転軸１０１が圧入されることで、ベース１１０は回転軸１０１に固定される。ロアー固定部１１３には、後述するロアー部１２０のボス１２３が圧入される。ストッパー１１４は、ベース１１０の側面に設けられ、後述する各アッパー部１３１のスリット１３４に挿入される。
【００２０】
ロアー部１２０はベース１１０に固定され、スイッチノブ１３０を保持する。ロアー部１２０は、有底筒状であり、ガイド部１２１と、底面部１２２と、円筒状のボス１２３とを備え、ガイド部１２１と底面部１２２とは一体成形されている。ガイド部１２１は円筒型のテーバ形状の部材であり、底面部１２２側の径Ｌ2は、先端側の径Ｌ1よりも小さい。底面部１２２は、バネ１４０を介してスイッチノブ１３０を保持する。ボス１２３は底面部１２２の中央に立設する円筒状の部材であり、ボス１２３の径は、回転軸１０１の径よりも十分に大きい。ボス１２３がベース１１０のロアー固定部１１３に圧入されることで、ロアー部１２０はベース１１０に固定される。
【００２１】
スイッチノブ１３０は略円柱形状であり、中心軸の位置にベース１１０が収まる孔を有する。スイッチノブ１３０は、複数のアッパー部１３１と、天板１３２とを有する。複数のアッパー部１３１はバネ１４０により、ロアー部１２０に保持される。
【００２２】
図３に示すように、本実施の形態ではアッパー部１３１が４つである例について説明する。４つのアッパー部１３１は、ベース１１０が収まる孔を有する円柱形状の部材を、中心軸を基準に四分割した形状である。天板１３２は、スイッチノブ１３０の上部に設けられる。
【００２３】
図４に、４つのアッパー部１３１のうち１つの拡大斜視図を示す。アッパー部１３１は、スリット１３３、スリット１３４、及びスリット１３５を備える。アッパー部１３１の側面１３６は、ベース１１０が収まる孔の側壁に相当する部分である。すなわち側面１３６は、ベース１１０の傾斜面１１１に当接する。スリット１３３は、アッパー部１３１の底面に設けられる。スリット１３３には、ロアー部１２０のガイド部１２１が高さ方向に摺動可能に挿入される。
【００２４】
スリット１３４は、アッパー部１３１の側面１３６に設けられる。スリット１３４には、ストッパー１１４が挿入される。スリット１３５は、アッパー部１３１の上面近傍の側面１３６に設けられ、円板状の天板１３２が径方向に摺動可能に挿入される。
【００２５】
図５は、実施の形態１のロータリースイッチ１の上面図である。図５（ａ）は天板１３２を含めて図示した上面図であり、図５（ｂ）は天板を外した場合の上面図である。図５（ｂ）に示すように、各アッパー部１３１のスリット１３４にベース１１０のストッパー１１４が挿入されており、ストッパー１１４は、スリット１３４の側壁に当接する。すなわち、各アッパー部１３１はベース１１０に回転方向に固定され、アッパー部１３１とベースとの相対回転を防止する。そのため操作者がスイッチノブ１３０を回転操作すると、ストッパー１１４に回転方向の力が作用してベース１１０が回転し、ベース１１０に固定された回転軸１０１が回転する。このようにしてベース１１０のボリュームスイッチ１００の回転軸１０１を回転させる。
【００２６】
次に図５におけるＡ−Ａ線、Ｂ−Ｂ線に沿った断面図について、図６及び図７により説明する。図６は、実施の形態１のロータリースイッチ１のＡ−Ａ線断面図である。図６（ａ）は本ロータリースイッチ１に外部から力を加えていない状態（以下、第１の状態という。）を示す。アッパー部１３１は、側面１３６がベース１１０の傾斜面１１１に沿って高さ方向に摺動可能に当接している。アッパー部１３１のスリット１３３にはロアー部１２０のガイド部１２１が挿入されている。当該ガイド部１２１は、左右のアッパー部１３１の径方向の位置を規制する。すなわち、ガイド部１２１によりアッパー部１３１が径方向外側に広がり過ぎる（移動し過ぎる）ことを防止する。
【００２７】
天板１３２は、左右のアッパー部１３１のスリット１３５に径方向に摺動可能に挿入される。図６（ａ）に示すように、第１の状態では、ベース１１０と天板１３２とが当接する。この場合ロータリースイッチ１の高さは最小値（Ｈａ）となる。このときロータリースイッチ１の外径は最小値（Ｌａ）となる。
【００２８】
スイッチノブ１３０を操作者が指により上部に引き上げると、図６（ｂ）に示すようにアッパー部１３１は、ベース１１０の傾斜面１１１に沿って高さ方向に摺動する。また図６（ｂ）に示すように、ガイド部１２１及び天板１３２は、それぞれスリット１３３及びスリット１３５に摺動可能に挿入されているため、一部が抜け出る。以下においてこの状態を第２の状態という。ここでアッパー部１３１は傾斜面１１１に沿って摺動するため、アッパー部１３１と回転軸１０１との距離、つまりロータリースイッチ１の外径が大きくなる。すなわち図６（ｂ）に示す場合のロータリースイッチ１の外径Ｌｂは、Ｌａよりも大きい。またロータリースイッチ１の高さＨｂは、Ｈａより高い。各アッパー部１３１のスリット１３５に天板１３２が径方向に摺動可能に挿入されているため、各アッパー部１３１は同時に摺動する。すなわち天板１３２により、アッパー部１３１の高さ方向の位置を揃えることができる。
【００２９】
図６（ｃ）は、スイッチノブ１３０を操作者が指によりさらに上方に引き上げた状態（以下、第３の状態という。）のＡ−Ａ線断面図を示す。図６（ｃ）に示すように、ガイド部１２１及び天板１３２は、それぞれスリット１３３及びスリット１３５に摺動可能に挿入されているため、図６（ｂ）よりもさらに抜け出る。図６（ｃ）はロータリースイッチ１の高さが最大値（Ｈｃ）となっており、このときロータリースイッチ１の外径は最大値（Ｌｃ）となる。図６（ｂ）同様に、各アッパー部１３１のスリット１３５に天板１３２が径方向に摺動可能に挿入されているため、各アッパー部１３１は同時に摺動する。すなわち天板１３２により、アッパー部１３１の高さ方向の位置を揃えることができる。
【００３０】
なお第２の状態又は第３の状態において、操作者がスイッチノブ１３０（アッパー部１３１）を離した場合、バネ１４０の復元力によりアッパー部１３１が傾斜面１１１に沿って下方に摺動し、第１の状態に戻る。
【００３１】
図７は、実施の形態１のロータリースイッチのＢ−Ｂ線断面図である。図７（ａ）は第１の状態である。このときストッパー１１４は、アッパー部１３１のスリット１３４の上端面と当接する。図７（ｂ）は、第２の状態に対応するＢ−Ｂ線断面図を示す。このときストッパー１１４がアッパー部１３１のスリット１３４の中間部に位置する。図７（ｃ）は、第３の状態のＢ−Ｂ線断面図を示す。このときストッパー１１４がアッパー部１３１のスリット１３４の下端面と当接し、スイッチノブ１３０の高さの最大値（Ｈｃ）が定まる。
【００３２】
図８は、第３の状態におけるロータリースイッチ１の上面図である。図８（ａ）は天板１３２を図示した上面図であり、図８（ｂ）は天板を外した場合の上面図である。図８（ａ）及び（ｂ）に示すように、第３の状態においては、各アッパー部１３１が径方向外側に広がり、ロータリースイッチ１の外径が第１の状態と比較して大きくなる。なお図８（ｂ）に示すように第３の状態において、ベース１１０のストッパー１１４が、アッパー部１３１のスリット１３４の側壁に当接する。このため操作者がスイッチノブ１３０を回転操作すると、ストッパー１１４に回転方向の力が作用してベース１１０が回転し、ベース１１０に固定された回転軸１０１が回転する。
【００３３】
また図８（ａ）に示すように天板１３２は、ベース１１０、アッパー部１３１のスリット１３４を外部から視認できないように目隠しの役目を果たす。さらに天板１３２により、塵や埃がアッパー部１３１同士の隙間、アッパー部１３１のスリット１３４に混入することを防止することができる。
【００３４】
なお本実施の形態においては、操作者がスイッチノブ１３０を離した場合、バネ１４０の復元力によりアッパー部１３１が傾斜面１１１に沿って下方に摺動し、第１の状態に戻る。このため、アッパー部１３１同士の隙間へ塵や埃が混入することを防止できる。
【００３５】
図９は、本発明の実施の形態１に係るロータリースイッチ１の組み立て手順を示す図である。はじめにベース１１０、アッパー部１３１、及び天板１３２を組み合わせる（ステップＳ１）。具体的にはベース１１０のストッパー１１４を各アッパー部１３１のスリット１３４に挿入する。また天板１３２を各アッパー部１３１のスリット１３５に挿入する。
【００３６】
次にロアー部１２０のボス１２３をベース１１０に圧入する（ステップＳ２）。このときロアー部１２０のガイド部１２１をスリット１３３に挿入する。
【００３７】
続いてロアー部１２０とバネ１４０とを固定する（ステップＳ３）。図８ではネジ止めにより固定する例を示している。そしてベース１１０にボリュームスイッチ１００の回転軸１０１を圧入し（ステップＳ４）、組み立て手順が終了する。
【００３８】
以上説明したように、本発明の一実施形態に係るロータリースイッチ１によれば、スイッチノブ１３０を操作者が指により上方に引き上げることで、ロータリースイッチ１の外径を変更可能とした。ロータリースイッチ１の外径が可変であるため、単位角度当たりの外周部の移動距離が可変となる。そのため設定値を細かく調整する場合には、ロータリースイッチ１のスイッチノブ１３０を操作者が指により上方に引き上げて外径を大きい状態（第２の状態又は第３の状態）にして操作することにより、設定値の微調整が容易になる。一方、設定値を粗く調整する場合には、スイッチノブ１３０を引き上げずに外径を小さい状態（第１の状態）して操作することにより粗い調整が容易になる。
【００３９】
なお、本実施の形態では、ベース１１０が円すい台形状であるものとし、傾斜面１１１が曲面である例を説明したがこれに限られない。ベース１１０は、中心軸に対して傾斜する傾斜面１１１を有する形状であれば、いかなる形状であってもよい。例えばベース１１０は、三角すい台形状、四角すい台形状等としてもよい。この場合傾斜面１１１は平面となる。なお三角すい台形状、四角すい台形とした場合にはそれぞれ、アッパー部１３１が３つ、４つとすることが好ましい。
【００４０】
（変形例１）
以下に、変形例１について説明をする。図１０は変形例１に係るロータリースイッチ１の上面図を示す。図１０（ａ）は天板１３２を図示した上面図であり、図１０（ｂ）は天板を外した場合の上面図である。変形例１においては、アッパー部１３１が２つにより構成される点が実施の形態１と相違する。２つのアッパー部１３１は、ベース１１０が収まる孔を有する円柱形状の部材を、中心軸を基準に２分割した形状となる。なおアッパー部１３１の個数は２以上であればよく、これに限られない。
【００４１】
（変形例２）
以下に、変形例２について説明をする。図１１は変形例２に係るロータリースイッチ１の上面図（図１１（ａ））及びＣ−Ｃ線断面図（図１１（ｂ））を示す。変形例２においては、実施の形態１の構成に加えて、分解能を切り替える分解能切替手段を備える。ここで分解能とは、ボリュームスイッチ１００の回転軸１０１の単位回転角度当たりの設定値の変更量を表す。単位回転角度当たりの設定値の変更量が小さいほど分解能が高く、変更量が大きいほど分解能が低い。
【００４２】
図１１に示す例では、分解能切替手段は、アッパー部１３１の側面１３６に設けられた突起部１５０と、突起部１５０と当接可能な傾斜面１１１の所定位置に設けられたスイッチ１５１〜１５３により構成される。スイッチ１５１は、第１の状態において突起部１５０が傾斜面１１１に当接する位置に設けられる。スイッチ１５２は、第２の状態において突起部１５０が傾斜面１１１に当接する位置に設けられる。スイッチ１５３は、第３の状態において突起部１５０が傾斜面１１１に当接する位置に設けられる。スイッチ１５１〜１５３はそれぞれベース１１０内に設けられた配線を介して基板７の制御部に接続され、各スイッチ１５１〜１５３が突起部１５０に当接してオンの状態になった場合、それぞれのスイッチに対応したボリュームスイッチ１００の分解能に切り替える。図１１（ｂ）においては、スイッチ１５２がオンの状態になっている。
【００４３】
例えば設定対象の設定値がエアコンの温度であるとする。そしてスイッチ１５１がオンの状態である場合、回転角度が１０°に対してエアコンの温度が１℃変更されるようにする。またスイッチ１５２がオンの状態である場合、回転角度が１０°に対してエアコンの温度が０．５℃変更されるようにする。またスイッチ１５３がオンの状態である場合、回転角度が１０°に対してエアコンの温度が０．１℃変更されるようにする。すなわち変形例２においては、分解能切替手段が、アッパー部１３１と傾斜面１１１とが当接する位置に応じてボリュームスイッチ１００の分解能を切り替える。
【００４４】
なおスイッチ１５１〜１５３の３つにより３つの分解能に切り替える例を示したがこれに限られず、スイッチを２つ以下、又は４つ以上設けて分解能を切り替えるようにしてもよい。スイッチを１つのみ設ける場合は、例えば第３の状態において突起部１５０が傾斜面１１１に当接する位置にスイッチを設ける。そして当該スイッチがオンの場合には、当該スイッチがオフの場合よりも分解能を高くするように設定する。
【００４５】
（変形例３）
以下に、変形例３について説明をする。図１２は変形例３に係るロータリースイッチ１の上面図（図１２（ａ））及びＤ−Ｄ線断面図（図１２（ｂ））を示す。変形例３においては、変形例２と同様に、分解能切替手段を備える点が実施の形態１と相違する。
【００４６】
図１２に示す例においては、分解能切替手段は、アッパー部１３１の側面１３６に設けられた端子１６０と、端子１６０と当接可能な傾斜面１１１の所定位置に設けられた端子１６１〜１６３により構成される。端子１６１は、第１の状態において端子１６０が傾斜面１１１に当接する位置に設けられる。端子１６２は、第２の状態において端子１６０が傾斜面１１１に当接する位置に設けられる。端子１６３は、第３の状態において端子１６０が傾斜面１１１に当接する位置に設けられる。端子１６０は、アッパー部１３１内に設けられた配線を介して基板７の制御部に接続される。端子１６１〜１６３は、それぞれベース１１０内に設けられた配線を介して基板７の制御部に接続される。各端子１６１〜１６３が端子１６０と当接して導通状態になった場合、それぞれの端子に対応したボリュームスイッチ１００の分解能に切り替える。図１２（ｂ）においては、端子１６２が導通状態になっている。
【００４７】
例えば設定対象の設定値がエアコンの温度であるとする。そして端子１６１が導通状態である場合、回転角度が１０°に対してエアコンの温度が１℃変更されるようにする。また端子１６１が導通状態である場合、回転角度が１０°に対してエアコンの温度が０．５℃変更されるようにする。また端子１６３が導通状態である場合、回転角度が１０°に対してエアコンの温度が０．１℃変更されるようにする。このようにして分解能切替手段が、アッパー部１３１と傾斜面１１１とが当接する位置に応じてボリュームスイッチ１００の分解能を切り替える。
【００４８】
なお端子１６１〜１６３の３つにより３つの分解能に切り替える例を示したがこれに限られず、端子を２つ以下、又は４つ以上設けて分解能を切り替えるようにしてもよい。端子を１つのみ設ける場合は、例えば第３の状態において端子１６０が傾斜面１１１に当接する位置に端子を設ける。そして当該端子が導通した場合には、導通していない場合よりも分解能を高くするように設定する。
【００４９】
なお変形例２及び３において示したように、好適には第１の状態においては分解能を低くし、第２の状態、第３の状態になるに従い、分解能を高くする。このようにすることで、第１の状態においては、ロータリースイッチ１の径が小さく、さらに分解能が低いため、設定値を粗く調整するのに好ましい。一方第３の状態においては、ロータリースイッチ１の径が大きく、さらに分解能が高いため、設定値の微調整をするのに好ましい。
【００５０】
（変形例４）
以下に、変形例４について説明をする。図１３は変形例４に係るロータリースイッチ１の上面図（図１３（ａ））及びＥ−Ｅ線断面図（図１３（ｂ））を示す。変形例４においては、実施の形態１又は実施の形態２の構成に加えて、アッパー部１３１とベース１１０の傾斜面１１１とが当接する高さ方向の位置を保持する高さ保持手段を備える。
【００５１】
図１３に示す例では、高さ保持手段は、アッパー部１３１の側面１３６に設けられた磁石１７０と、磁石１７０と当接可能な傾斜面１１１の所定位置に設けられた磁石１７１〜１７３により構成される。磁石１７０は、各磁石１７１〜１７３と対向する側がＮ極である。一方、各磁石１７１〜１７３は、磁石１７０と対向する側がＳ極である。磁石１７１は、第１の状態において磁石１７０が傾斜面１１１に当接する位置に設けられる。磁石１７２は、第２の状態において磁石１７０が傾斜面１１１に当接する位置に設けられる。磁石１７３は、第３の状態において磁石１７０が傾斜面１１１に当接する位置に設けられる。
【００５２】
図１３（ｂ）においては、磁石１７０と磁石１７２とが当接している。磁石１７０と磁石１７２との磁力により、アッパー部１３１とベース１１０の傾斜面１１１とが当接する位置が保持（維持）され、第２の状態が保持される。すなわち外力を加えない限り第１の状態には戻らない。同様に、磁石１７０と磁石１７３とが当接した場合、磁石１７０と磁石１７３との磁力により、アッパー部１３１とベース１１０の傾斜面１１１とが当接する位置が保持され、第３の状態が保持される。すなわち外力を加えない限り第１の状態には戻らない。
【００５３】
なお、磁石１７０の各磁石１７１〜１７３と対向する側をＳ極としてもよい。この場合、各磁石１７１〜１７３の磁石１７０と対向する側をＮ極とする。
【００５４】
なお磁石１７１〜１７３の３つにより３つの高さに切り替える例を示したがこれに限られず、磁石を２つ以下、又は４つ以上設けて高さを切り替えるようにしてもよい。磁石を１つのみ設ける場合は、例えば第３の状態において磁石１７０が傾斜面１１１に当接する位置に磁石を設ける。
【００５５】
（変形例５）
以下に、変形例５について説明をする。図１４は変形例５に係るロータリースイッチ１の上面図及びＦ―Ｆ線断面図を示す。変形例５においては、変形例４と同様に、高さ保持手段を備える点が実施の形態１と相違する。
【００５６】
変形例５においては、高さ保持手段は、アッパー部１３１の側面１３６に設けられた凸部１８１〜１８３と、凸部１８１〜１８３と当接可能な傾斜面１１１の所定位置に設けられた凹部１９１〜１９３により構成される。好適には凸部１８１〜１８３は、アールが設けられた略半球状である。一方凹部１９１〜１９３は凸部１８１〜１８３に係合する形状である。凹部１９１は、第１の状態において凸部１８１が傾斜面１１１に当接する位置に設けられる。凹部１９２は、第１の状態において凸部１８２が傾斜面１１１に当接する位置に設けられる。凹部１９３は、第１の状態において凸部１８３が傾斜面１１１に当接する位置に設けられる。第２の状態では、凹部１９２が凸部１８１と当接し、凹部１９３が凸部１８２と当接する。第３の状態では、凹部１９３が凸部１８１と当接する。
【００５７】
図１４（ｂ）においては、凸部１８１〜１８３が凹部１９１〜１９３に当接している。凸部１８１〜１８３が凹部１９１〜１９３によりアッパー部１３１とベース１１０の傾斜面１１１とが当接する位置が保持（維持）され、第１〜第３の状態が保持される。すなわち外力を加えない限り第２又は第３の状態から第１の状態には戻らない。
【００５８】
なお、アッパー部１３１の側面１３６に凸部の代わりに凹部を設けてもよい。この場合、傾斜面１１１の所定位置には、凸部を設ける。
【００５９】
なお凸部１８１〜１８３と、凹部１９１〜１９３とを３組設けて３つの高さに切り替える例を示したがこれに限られず、２組以下、又は４組以上設けて高さを切り替えるようにしてもよい。凸部及び凹部を１組のみ設ける場合は、例えば第３の状態において傾斜面１１１の凸部に当接する位置に凹部を設ける。
【００６０】
好適には、変形例２又は変形例３において示した分解能切替手段と、変形例４又は５において示した高さ保持手段とを組み合わせる。分解能切替手段と高さ保持手段とを組み合わせることにより、第１の状態〜第３の状態の高さが高さ保持手段により位置決めされ、かつ高さが保持され、各状態における分解能の切替をより確実に行うことができる。また操作者は、ロータリースイッチ１を把持したときにロータリースイッチ１の高さ及び外径、すなわち現在の状態を把握でき、現在設定されている分解能を容易に認知することができる。
【００６１】
（変形例６）
以下に、変形例６について説明をする。図１５は変形例６に係るロータリースイッチ１の、図６に対応する断面図を示す。変形例６においては、概略として、スイッチノブ１３０を操作者が指により上部に引き上げると、ロータリースイッチ１の外径が小さくなる点が実施の形態１と相違する。
【００６２】
図１５に示すように、実施の形態１と相違して、ベース１１０は、上面が底面よりも面積の小さい円すい台形状である。また、ロアー部１２０のガイド部１２１は、円筒型のテーバ形状の部材であり、底面部側の径は、先端側の径よりも大きい。アッパー部１３１のスリット１３３は、ガイド部１２１に沿った形状になっている。
【００６３】
図１５（ａ）は本ロータリースイッチ１に外部から力を加えていない状態、すなわち第１の状態を示す。アッパー部１３１は、側面１３６がベース１１０の傾斜面１１１に沿って高さ方向に摺動可能に当接している。アッパー部１３１のスリット１３３にはロアー部１２０のガイド部１２１が挿入されている。当該ガイド部１２１は、左右のアッパー部１３１の径方向の位置を規制する。すなわち、ガイド部１２１によりアッパー部１３１が径方向外側に広がり過ぎる（移動し過ぎる）ことを防止する。
【００６４】
天板１３２は、左右のアッパー部１３１のスリット１３５に径方向に摺動可能に挿入される。図１５（ａ）に示すように、第１の状態では、ベース１１０と天板１３２とが当接する。この場合ロータリースイッチ１の高さは最小値（Ｈａ’）となる。このときロータリースイッチ１の外径は最大値（Ｌａ’）となる。
【００６５】
スイッチノブ１３０を操作者が指により上部に引き上げると、図１５（ｂ）に示すようにアッパー部１３１は、ベース１１０の傾斜面１１１に沿って高さ方向に摺動する。以下においてこの状態を第２の状態という。ここでアッパー部１３１は傾斜面１１１に沿って摺動するため、アッパー部１３１と回転軸１０１との距離、つまりロータリースイッチ１の外径が小さくなる。すなわち図１５（ｂ）に示す場合のロータリースイッチ１の外径Ｌｂ’は、Ｌａ’よりも小さい。またロータリースイッチ１の高さＨｂ’は、Ｈａ’より高い。各アッパー部１３１のスリット１３５に天板１３２が径方向に摺動可能に挿入されているため、各アッパー部１３１は同時に摺動する。すなわち天板１３２により、アッパー部１３１の高さ方向の位置を揃えることができる。
【００６６】
図１５（ｃ）は、スイッチノブ１３０を操作者が指によりさらに上方に引き上げた状態、すなわち、第３の状態のＡ−Ａ線断面図を示す。図１５（ｃ）はロータリースイッチ１の高さが最大値（Ｈｃ’）となっており、このときロータリースイッチ１の外径は最小値（Ｌｃ’）となる。図１５（ｂ）同様に、各アッパー部１３１のスリット１３５に天板１３２が径方向に摺動可能に挿入されているため、各アッパー部１３１は同時に摺動する。すなわち天板１３２により、アッパー部１３１の高さ方向の位置を揃えることができる。
【００６７】
なお第２の状態又は第３の状態において、操作者がスイッチノブ１３０を離した場合、バネ１４０の復元力によりアッパー部１３１が傾斜面１１１に沿って下方に摺動し、第１の状態に戻る。
【００６８】
以上説明したように、本発明の変形例６に係るロータリースイッチ１によっても、スイッチノブ１３０を操作者が指により上方に引き上げることで、ロータリースイッチ１の外径を変更可能である。ロータリースイッチ１の外径が可変であるため、単位角度当たりの外周部の移動距離が可変となる。そのため設定値を細かく調整する場合には、スイッチノブ１３０を引き上げずに外径を大きい状態（第１の状態）して操作することにより、設定値の微調整が容易になる。一方、設定値を粗く調整する場合には、ロータリースイッチ１のスイッチノブ１３０を操作者が指により上方に引き上げて外径を小さい状態（第２の状態又は第３の状態）にして操作することにより、粗い調整が容易になる。
【００６９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【符号の説明】
【００７０】
１  ロータリースイッチ
２  ウィンドシールド
３  メータ
４  ステアリング
５  コンソール
６  フィニッシャー
７  基板
１００  ボリュームスイッチ
１０１  回転軸
１１０  ベース
１１１  傾斜面
１１２  挿通孔
１１３  ロアー固定部
１１４  ストッパー
１２０  ロアー部
１２１  ガイド部
１２２  底面部
１２３  ボス
１３０  スイッチノブ
１３１  アッパー部
１３２  天板
１３３、１３４、１３５  スリット
１３６  側面
１４０  バネ
１５０  突起部
１５１〜１５３  スイッチ
１６０〜１６３  端子
１７０〜１７３  磁石
１８１〜１８３  凸部
１９１〜１９３  凹部
【図１】
2016046111.tif 000003
【図２】
2016046111.tif 000004
【図３】
2016046111.tif 000005
【図４】
2016046111.tif 000006
【図５】
2016046111.tif 000007
【図６】
2016046111.tif 000008
【図７】
2016046111.tif 000009
【図８】
2016046111.tif 000010
【図９】
2016046111.tif 000011
【図１０】
2016046111.tif 000012
【図１１】
2016046111.tif 000013
【図１２】
2016046111.tif 000014
【図１３】
2016046111.tif 000015
【図１４】
2016046111.tif 000016
【図１５】
2016046111.tif 000017